(57)【要約】【課題】貯蔵室内に設けた棚を棚フレームと３枚の棚板で違い棚に形成し、棚の設置形態を種々に変更することで幅方向に亙って多様な高さ寸法の棚を現出させ、使用者の欲求に応じた棚形状として使い勝手を向上させ、貯蔵品の収納効率を増大させることができる冷蔵庫を提供する。【解決手段】断熱箱体内に形成した貯蔵室４と、この貯蔵室の左右壁に上下に亙って形成した複数の棚受け部10と、前記棚受け部に少なくとも両側縁部を載置係合するとともに室内幅寸法のほぼ１／３幅の位置で上下に段違いとなるように形成した棚フレーム12と、この棚フレームの幅寸法のほぼ１／３の幅を有して前記棚フレーム上に３枚を配設可能に係止される棚板13とを設けたことを特徴とする。【選択図】  図１
2009019793.tif 000002
【特許請求の範囲】
【請求項１】
断熱箱体内に形成した貯蔵室と、この貯蔵室の左右壁に上下に亙って形成した複数の棚受け部と、前記棚受け部に少なくとも両側縁部を載置係合するとともに室内幅寸法のほぼ１／３幅の位置で上下に段違いとなるように形成した棚フレームと、この棚フレームの幅寸法のほぼ１／３の幅を有して前記棚フレーム上に３枚を配設可能に係止される棚板とを設けたことを特徴とする冷蔵庫。
【請求項２】
複数の棚受け部に対して棚フレームを前後反転して設置できるように形成したことを特徴とする請求項１記載の冷蔵庫。
【請求項３】
複数の棚受け部に対して棚フレームを左右反転して設置できるように形成したことを特徴とする請求項１記載の冷蔵庫。
【請求項４】
棚フレームに対して棚板を左右方向移動および上下面反転可能に配設したことを特徴とする請求項１乃至３のいずれかに記載の冷蔵庫。
【請求項５】
棚板の一面の全周縁部には上下反転した際に棚フレームに係止するように立ち上がるリブを設けるとともに他面の両側縁部のうちの一方にはリブを設けないようにしたことを特徴とする請求項４記載の冷蔵庫。
【発明の詳細な説明】
【技術分野】
【０００１】
本発明は、貯蔵室内に設置形態を変更することができる段違い棚を設けた冷蔵庫に関する。
【背景技術】
【０００２】
近年、冷蔵庫は生活の多様化とともに収納量の大型化傾向から、最も使用頻度が多く容積の大きい冷蔵室を最上部に配置し、その下部に収納容積の比較的小さい製氷室や温度切替室を併置し、さらにその下部に野菜室や冷凍室をそれぞれ独立して設置する多扉の形態が多くなっている。そして冷蔵室は、その開口部近傍に一側を枢支した扉、あるいは観音開き式の扉により、前記開口を回動方式で閉塞しており、野菜室や冷凍室、および製氷室や温度切替室は、配置高さからの収納物の出し入れ操作の利便性から扉の貯蔵室内側に容器を取り付け、前後に引き出し可能な引き出し式扉としているものが多い。
【０００３】
冷蔵室については、扉が回動式であることから、室内の食品などを出し入れする場合には、開扉とともに室内に手を差し入れて棚上の物品を取り出したり収納することになるが、多種の貯蔵品が収納されていることから、これを効率的に収納し、また取り出すために種々の棚形態が実施されている。
【０００４】
例えば、冷蔵室の左右壁に上下に亙って多数の棚受けビードを近接して形成し、棚板の棚受けビードへの係合位置を適宜変更することでその高さや上下の棚間隔を変更するものがあり、これとは別に、棚を奥行き方向に亙って全寸法や半分の奥行長さにしたり、あるいは回転して奥壁に立て掛けることで事実上棚をなくすようにするなど３段階の奥行き長とする構成がある。
【０００５】
また、特許文献１に記載されているように、レバーの直線運動をギアプーリーに伝達してその回転運動を上下運動に変換して棚を上下に移動させるものや、特許文献２に示されているように、ショーケースにおける後部支柱にブラケットを介して片持ち式で支持された全幅に亙って平坦な棚を、アングルや固定板で組み替えて段違い棚に変更する構成が存在する。
【特許文献１】特開２００４−２８６４１１号公報
【特許文献２】特開平０４−３２５１１７号公報
【発明の開示】
【発明が解決しようとする課題】
【０００６】
しかしながら、特許文献２を除く前記各従来の可変棚は貯蔵室内の全幅に亙って棚の高さ位置が設定されてしまう構成であり、種々の高さ寸法が存在する貯蔵品をひとつの棚上に収納する場合には、当然上部に無効スペースが発生するものであり、これを防ぐためには、ほぼ同じ高さの貯蔵品同士を集めて同じ棚上に載置する必要があり、限られたスペースであることから収納場所が限定されたり、貯蔵品の選別作業が煩雑になる欠点がある。
【０００７】
特許文献２には、段違い棚により、高さの違う商品を展示することができるショーケースが示されているが、これは平坦な棚を段違い棚に変更できるものであってその構成は複雑であり、その切替え作業は煩わしいものであった。
【０００８】
本発明は上記の事情を考慮してなされたものであり、貯蔵室内に設けた棚を棚フレームと３枚の棚板で違い棚に形成し、棚の設置形態を種々に変更することで幅方向に亙って多様な高さ寸法の棚を現出させ、使用者の欲求に応じた棚形状として使い勝手を向上させ、貯蔵品の収納効率を増大させることができる冷蔵庫を提供することを目的とする。
【課題を解決するための手段】
【０００９】
上記課題を解決するために本発明の冷蔵庫は、断熱箱体内に形成した貯蔵室と、この貯蔵室の左右壁に上下に亙って形成した複数の棚受け部と、前記棚受け部に少なくとも両側縁部を載置係合するとともに室内幅寸法のほぼ１／３幅の位置で上下に段違いとなるように形成した棚フレームと、この棚フレームの幅寸法のほぼ１／３の幅を有して前記棚フレーム上に３枚を配設可能に係止される棚板とを設けたことを特徴とするものである。
【発明の効果】
【００１０】
上記発明によれば、貯蔵室の幅方向に段差を設けることで高さ寸法の相違する収納スペースを形成するとともに棚を構成する棚フレームや棚板の設置を変えることで、種々の配置形態を柔軟に形成することができ、貯蔵品の収納効率を向上させて望む場所への収納が可能となり、簡単な構成で使い勝手を向上することができる。
【発明を実施するための最良の形態】
【００１１】
以下、図面に基づき本発明の１実施形態について説明する。図１は扉を省略した冷蔵庫斜め前方からの斜視図であり、外郭を形成する外箱（２）と貯蔵空間を形成する内箱（３）との間に断熱材を発泡充填した断熱箱体からなる冷蔵庫本体（１）は、最上部に冷蔵室（４）、およびその下方に比較的小容積の自動製氷機を備えた製氷室（５）と温度切替室（６）を併設している。そして、その下方には野菜室（７）、特に図示しないが、最下方には冷凍室をそれぞれ独立して配置している。
【００１２】
前記冷蔵室（４）は、最も収納容積が大きく使用頻度も高いため、前面開口部の両側に設けたヒンジにより図示しない観音開き式の扉を枢支することで開口部を開閉自在に閉塞しており、冷蔵室（４）の下部に配置した製氷室（５）や温度切替室（６）、さらにその下方に設けた野菜室（７）などの貯蔵室は、冷蔵室（４）に比べ収納容積が小さいこととその設置高さが、概ね使用者の腰部から下方に位置することによる使い勝手面から、扉の裏面側に固着した支持枠に保持した容器を室内壁面に設けたレール部材で前後に摺動させ、開扉動作とともに室外に引き出して容器の上面開口から食品を収納し取り出すようにした周知の引き出し扉方式としている。
【００１３】
最下方に位置する冷凍室の背部には、図示しないが、各貯蔵室を冷却する冷却器へ冷媒を供給する凝縮器や圧縮機を収納した機械室を配置しており、前記冷蔵室（４）などの冷蔵貯蔵空間や冷凍貯蔵空間は、前記冷却器や圧縮機などからなる冷凍サイクルにより冷却されるものである。
【００１４】
しかして、前記冷蔵室（４）は、その室内を上下複数段に設けた合成樹脂の射出成型品からなる棚（８）によって区分し、下方に区分して設けた低温室（９）や扉内側に設けたポケット部により最大の貯蔵空間を形成している。
【００１５】
前記上下複数段の棚（８）は、冷蔵室（４）を形成する内箱（３）左右壁の上下に亙って一体に形成した複数の棚受けビード（10）にその両側縁部を載置し、前後摺動自在に係合させているが、冷蔵室（４）内のおける使用者の目の高さに対応して食品などの出し入れ頻度が多い箇所である中段の棚（11）については、その詳細構造である図２および図３に示すように、前記棚（８）形状とは異なって、前記棚受けビード（10）の溝内に載置して係合するように両側縁部（12ａ）と前後縁部（12ｂ）とからなり室内幅寸法のほぼ１／３幅の位置で上下に所定の段差、具体的には、４０ｍｍ程度の段差（12ｃ）を有して段違いとなるように合成樹脂成形あるいは金属で枠状に形成した棚フレーム（12）と、
この棚フレーム（12）の幅寸法のほぼ１／３の幅を有し、棚フレーム（12）の枠部分の上部にその周縁部を係止することで載置される３枚の棚板（13）とからなり、図４に棚としての組み込み状態を示すように、違い棚形状に形成されている。
【００１６】
前記棚（11）（以下、違い棚という。）の正面からの縦断面形状である図５および前記図３に示すように、棚フレーム（12）に係止される前記３枚の棚板（13）は、いずれも合成樹脂で同一形状に形成されており、平板状をなす本体の一方の面（以下、Ａ面という。）の周縁部には、端縁からわずか内方に位置して全周縁に亙って上方に数ｍｍ程度立ち上がるリブＡ（13ａ）を設けている。同様に、他方側である裏面（以下、Ｂ面という。）の周縁部についても前記リブＡ（13ａ）と対向する側に立ち上がるリブＢ（13ｂ）を設けるが、このＢ面におけるリブＢ（13ｂ）については、その幅方向の側縁部の一方（13ｃ）には設けないようにしている。
【００１７】
前記棚板（13）のリブＡ（13ａ）およびＢ（13ｂ）は、棚板（13）の棚フレーム（12）への載置時にその突出方向が下方に位置している場合には、棚フレーム（12）の周縁の内側に係合して棚板（13）の前後および左右への移動を拘束するように係止し、棚として安定した貯蔵品（15）の載置面を形成するものであり、反転して、リブＡ（13ａ）およびＢ（13ｂ）が上方に突出している場合は、リブにより、平坦面である棚板（13）の周縁をガードし、貯蔵品のスライド移動を阻止して落下を防ぐストッパーとして作用する。
【００１８】
そして、前記棚フレーム（12）は、その前記段違い部（12ｃ）には段の上下に奥行き方向への桟（12ｄ）（12ｅ）を設けて補強するとともに棚板（13）のリブＡ（13ａ）およびＢ（13ｂ）の係止部とし、前記棚受けビード（10）に対しては、前後および左右方向に上下反転して設置できるようにしている。そのため、前記棚受けビード（10）は、棚フレーム（12）の前記段差に合致する上下間隔で少なくとも一対が内箱（３）の両側壁に設けられているものであり、この棚受けビード（10）に対して棚フレーム（12）は４パターンの設置形態を採ることができる。なお、棚受けビード（10）は前記間隔で上下に亙り多数連続して設けるようにしてもよい。
【００１９】
さらに、棚フレーム（12）上に幅方向に複数併置して設けられる棚板（13）は、左右方向への移動設置および上下面を反転可能に配設されており、全周縁部に立ち上がりリブが存在するＡ面を上面にして棚フレーム（12）上に載置した場合は、段違い部（12ｃ）により高さの相違する１枚の棚板（13）を含めて、リブＡ（13ａ）により冷蔵室（４）内を幅方向にほぼ３分の１ずつ区分した違い棚（11）を形成することができるものであり、棚フレーム（12）上の枠内に棚板（13）を嵌め込むというきわめて簡単な作業で違い棚（11）を構成することができる。
【００２０】
したがって、冷蔵室（４）内から取り出す際には、単一の棚板（13）は比較的小さいことから貯蔵品（15）を載置した状態で盆として持ち運びすることができ、庫外から棚板（13）ごと棚フレーム（12）上に載置することができるものであり、部品数が少なく構造がシンプルであることから、清掃や洗浄も容易におこなうことができ、清潔に保持することが容易な利点がある。
【００２１】
また、リブＢ（13ｂ）を有するＢ面を上面とした場合は、前記図４や図５に示すように、冷蔵室（４）内の３分の２幅に対応する棚フレーム（12）上に、立ち上がりリブ（13ｂ）を設けていない側縁部（13ｃ）同士を対向させた状態で２枚の棚板（13）（13）を併置することで、前記室内のほぼ３分の１幅の棚とともに、室内のほぼ３分の２幅に亙って平滑な表面とした違い棚（11）を形成することができ、大皿や鍋などの大形のもの（15′）を安定して載置することができる。
【００２２】
そして、前述のように、上下反転させることによる棚板（13）表面のリブの有無とともに、棚フレーム（12）の前記４パターンの設置形態により、違い棚（11）は、図６の（Ａ）に示すごとく、左側が冷蔵室（４）内のほぼ３分の２幅の低い棚と右側がほぼ３分の１幅の高い棚の形態、同じく、（Ｂ）のように、左が３分の１幅の高い棚と右が３分の２幅の低い棚の形態、さらに、（Ｃ）の左が３分の２幅の高い棚と右の３分の１幅を低い棚とした形態、あるいは、（Ｄ）の左が３分の１幅の低い棚と右の３分の２幅を高い棚とした形態のパターンとした構成を得ることができるものである。
【００２３】
これにより、使い勝手に応じて左右の棚の高さ位置やその幅寸法を多くのパターンに設定できるので、種々の好みに応じた状態にしたり、観音開き方式である冷蔵室（４）扉の開放頻度に応じたいずれかの扉側に合わせた配置にしたり、開けやすい側の扉に対応して棚板（13）の幅あるいは高さ位置を合わせることができ、使い勝手を向上させることができるとともに、違い棚（11）の上下スペースを利用することで、種々の高さの違う貯蔵品（15）を効果的に載置することができ、貯蔵品（15）の収納効率を格段に向上させることができる。
【００２４】
また、棚板（13）は棚フレーム（12）上から容易に取り外すことができるため、前記図６の（Ｅ）や（Ｆ）に示すように、随時１枚あるいは２枚を取り外すことによって棚板（13）のない２階層分の収納高さの大きな空間を設けることができ、ワインやスイカなどの高さや高さとともに幅のある貯蔵物（15″）を容易に冷却貯蔵することができる。そして、棚板（13）を取り外した後の棚フレーム（12）の枠部分や他の棚板（13）の端縁は、その下段の棚（８）上に載置している貯蔵物（15″）の転倒防止柵として活用することができるとともに、残った棚板（13）は通常の載置棚として活用できる。
【００２５】
なお、上記実施例においては、違い棚（11）を冷蔵室（４）内のおける食品などの出し入れ頻度が多い最も効果的な高さ位置の棚部分にのみ採用した例について記述したが、これに限らず、上下複数段に亙って前記違い棚（11）の構成を採用してもよいことはいうまでもない。また、上記各実施例においては、冷蔵室（４）に採用したが、冷凍室や野菜室などの他の貯蔵室に適用してもよい。
【図面の簡単な説明】
【００２６】
【図１】本発明の１実施形態を示す扉を除去した冷蔵庫要部の斜視図である。
【図２】図１の冷蔵室内における違い棚の棚フレームを示す斜視図である。
【図３】図１における違い棚の棚板の表面および裏面を示す斜視図である。
【図４】図２の棚フレームに棚板を取り付けた違い棚構成を示す斜視図である。
【図５】図４における違い棚の係合構成を示す正面からの断面図である。
【図６】図４に示す違い棚の種々の設置形態を示すパターン図である。
【符号の説明】
【００２７】
４  冷蔵室                ８  棚                    10  棚受けビード
11  違い棚                12  棚フレーム            12ａ  両側縁部
12ｂ  前後縁部            12ｃ  段差                12ｄ、12ｅ  桟
13  棚板                  13ａ  リブＡ              13ｂ  リブＢ
13ｃ  リブなし側縁        15、15′、15″  貯蔵品
【図１】
2009019793.tif 000003
【図２】
2009019793.tif 000004
【図３】
2009019793.tif 000005
【図４】
2009019793.tif 000006
【図５】
2009019793.tif 000007
【図６】
2009019793.tif 000008